(57)【要約】パワートレーンの開放後の設定された待機時間中に駆動トルクもブレーキトルクも内燃機関（１）に要求されない場合には、待機時間の経過後に内燃機関（１）が遮断される。ここでパワートレーンの開放から内燃機関（１）の遮断までの間の待機時間は自動車の目下の動作状況に依存する。
2004518073.tif 000002
【特許請求の範囲】
【請求項１】
駆動装置として使用される内燃機関（１）と、該内燃機関（１）を始動させるための始動ユニット（３）と、トランスミッション（７）とを備えた自動車のパワートレーンの制御方法であって、
該制御方法は、パワートレーンの開放後の設定された待機時間中にトルクが前記内燃機関（１）に要求されない場合には、該待機時間の経過後に該内燃機関（１）を遮断するステップを有し、前記パワートレーンの開放から前記内燃機関（１）の遮断までの間の該待機時間は自動車の目下の動作状況に依存する、自動車のパワートレーンの制御方法において、
種々のセンサ及び制御装置及び／又は自動車外部の情報源からの入力信号を状況識別部（２０）において評価し、目下の動作状況を表す特徴付けられた量に変換することを特徴とする、自動車のパワートレーンの始動方法。
【請求項２】
前記待機時間を、ファジーロジック（２１）によって目下の動作状況を表す量に依存して設定する、請求項１記載の方法。
【請求項３】
前記待機時間をドライバの要求に適応させる、請求項１または２記載の方法。
【発明の詳細な説明】
【０００１】
本発明は、請求項１記載の上位概念による自動車のパワートレーンの制御方法に関する。
【０００２】
次世代の車両は、従来の燃料燃焼機構（以下では内燃機関とも称する）の他にも、自動的に内燃機関を始動させるための、例えば電気モータであるスタータユニットがますます装備されることになる。ここでまた以下では、スタータユニットの概念は一般的なものであると解することができ、また例えばクランクシャフト・スタータジェネレータ（以下ではまた統合式スタータジェネレータ（ＩＳＧ）とも称する）も含む。このような統合式スタータジェネレータは、自動車のための付加的な駆動装置としても使用することができる（ハイブリッドカー）。しかしながらスタータユニットとして、例えば圧縮空気でもって動作する内燃機関用のスタータ装置も考えられる。
【０００３】
既に出願済みのＤＥ１００４７９０６．５から、少なくとも２つの駆動装置及び１つのトランスミッションを備えた自動車のためのパワートレーン制御装置が公知であり、このパワートレーン制御装置はトルク目標値及び車両バッテリの充電状態に依存して、パワートレーンの目標動作状態を設定する。アクセルペダルもブレーキペダルも操作されていない場合には、内燃機関をトランスミッションに結合するクラッチが開放される、ないしは開放されたままになり、内燃機関はさらにアイドリング運転になる。いわゆるこの「惰性走行モード」に基づいて、付加的に内燃機関を遮断できる。ここでは時間的に連続するクラッチの開放と内燃機関の遮断に関する通知は行われない。
【０００４】
刊行物ＤＥ  ４２  １３  ５８９  Ａ１から自動車の駆動方法が公知である。この方法では、パワートレーンの開放後の設定された待機時間中に、駆動トルクが内燃機関に要求されない場合には内燃機関が遮断される。ここで待機時間は種々のセンサ信号及びスイッチ信号に依存する。
【０００５】
したがって本発明の課題は、駆動装置としての内燃機関と、内燃機関を始動させるためのスタータユニットと、トランスミッションとを備える自動車のパワートレーンを制御するための方法を提供することであり、この方法でもって惰性走行モードにある内燃機関をインテリジェンスに遮断することにより、自動車の動作は燃費、有害物質エミッション、騒音エミッション、走行性、走行出力及び安全性に関して改善される。
【０００６】
この課題は本発明によれば、請求項１記載の特徴を有する方法によって解決される。本発明の別の利点は従属請求項に記載されている。
【０００７】
自動車内に駆動装置としての内燃機関が設けられている場合、内燃機関に駆動トルクも制動トルクも、例えば制動補助機能のために要求することができる。さらに内燃機関に副ユニット、例えば空調装置を作動させるためのトルクも要求することができる。ここでしかしながら自動車の動作時において、内燃機関が運転している場合であっても駆動トルクまたは制動トルクも、副ユニットのためのトルクも内燃機関に要求されない状況も生じる。このような状況ではパワートレーンが（車両構造に応じて例えば乾式クラッチまたはコンバータロックアップクラッチの開放によって）開放される。パワートレーンが開放されることによって、内燃機関が自動車の車輪と分離され、したがって車輪回転数はエンジン回転数と分離される。パワートレーンの解放後の設定された待機時間中に引き続きトルクが内燃機関に要求されない場合には、待機時間の終了後に内燃機関は遮断される。ここでクラッチの開放から内燃機関の遮断までの間の待機時間は、自動車の目下の動作状況に依存して設定される。
【０００８】
（例えば環境、交通、地理、ドライバタイプ及び負荷に関する、しかしながら殊に自動車バッテリの充電状態にも関する）自動車の目下の動作状況は、状況識別回路によって検出される。このために、種々のセンサ、別の制御装置又は外部の情報源から供給される入力信号が処理される。
【０００９】
パワートレーンの開放から内燃機関の遮断まで間の目下の動作状況に依存する可変の待機時間を採用することによって、運転の快適性を明白に高めることができる。その上経済的な、安全にとって重要であり且つ環境に関する状態により良く対応することができる。
【００１０】
本発明の実施例を図面に基づき以下説明する。ここで図１は、２つの駆動装置を備えた自動車のパワートレーンの概略図である。図２は、惰性走行モードにある内燃機関が遮断されるまでの待機時間を求める制御コンポーネントのブロック図である。図３は、ファジーシステムによって出力が変化する待機時間の概略的な経過である。
【００１１】
図１に図示した装置は、内燃機関１によって駆動される自動車のパワートレーンを示し、ここで内燃機関１は従来のように構成されており、したがって概略的にしか図示していない。内燃機関１は電子的なモータ制御装置（ＥＭＳ）２によって制御され、このモータ制御装置（ＥＭＳ）２は電子的なスロットルバルブ制御部（ＥＴＣ）の機能も引き受けることができる。出力側において内燃機関１は、シャフトを介して統合式スタータジェネレータ（ＩＳＧ）３である電気モータと接続されている。この統合式スタータジェネレータ（ＩＳＧ）３によって、内燃機関１が運転する際にはエネルギ蓄積装置４を充電することができる。エネルギ蓄積装置４は有利には電池として構成されているが、しかしがなら同様に燃料電池またはＵｌｔｒａ−Ｃａｐｓである高性能コンデンサとして構成することができる。これに対して内燃機関１が停止している場合には、統合式スタータジェネレータ３を内燃機関１の始動に使用することができる。統合式スタータジェネレータ３は有利には非同期機として構成されているが、しかしながら同期機または直流モータとしても構成することができる。統合式スタータジェネレータ３はＩＳＧ制御ユニット（ＩＳＧＳ）５によって制御される。
【００１２】
有利には内燃機関１と統合式スタータジェネレータ３との間には、図示していないクラッチを配置することができ、このクラッチは内燃機関１をパワートレーンから切離すことを可能にする。このことは統合式スタータジェネレータ３の回転数を内燃機関１と分離することによって実現でき、これによって内燃機関１の損失エネルギしか形成しない制動効果が排除され、スタータジェネレータの電気的に有効な制動効果が改善される。
【００１３】
さらにパワートレーン内にはクラッチ６が配置されており、このクラッチ６によって内燃機関１及び統合式スタータジェネレータ３をトランスミッション７と結合することができ、またはこれらから分離することができる。ここでクラッチ６は車両の構造に応じて、例えば乾式クラッチまたはコンバータロックアップクラッチとして構成することができる。クラッチ６及びトランスミッション７は電子的なトランスミッション制御部（ＥＧＳ）８によって制御され、この電子的なトランスミッション制御部８はトランスミッション７の種々の変速比ｕを調整設定することができる。種々の変速比の切り替えは電子的なトランスミッション制御部８によって自動的に、クラッチ６及びトランスミッション７のアクチュエータを相応に制御して、例えばトランスミッション７を自動化されたマニュアルトランスミッションとして構成する場合には燃料調整及びシフト調整のために行われる。一定のシフト段を有するトランスミッションの代わりに、継続的に変速比を調整設定できるトランスミッションを使用することもできる。同様に、トランスミッション７が遊星歯車を備えた慣用のオートマチックトランスミッションとして、自動化された（自動的な）マニュアルトランスミッションとしてまたはダブルクラッチトランスミッションとして構成されているか否かは重要ではない。
【００１４】
さらにパワートレーンは図示していないディファレンシャルを介して自動車の車輪９と接続されている。明瞭にするためにこの図においては、車輪９は１つだけが例示的に図示されている。最後にパワートレーンには回転数センサ１０が配置されており、この回転数センサ１０は継続的にトランスミッション出力シャフトの目下の回転数Ｎまたは車輪回転数または車両速度のような同等の信号を測定し、線路１１を介してシステムを包括するパワートレーン管理装置（ＩＰＭ）１２に伝送する。別の入力信号としてパワートレーン管理装置１２は例えば線路１３及び１４を介して、駆動トルクないし制動トルクに関するドライバの要求を表す信号を受け取る。これらの信号を例えばアクセルペダル１５ないしブレーキペダル１６の位置を評価することによって取得できる。さらには、パワートレーン管理装置１２には線路１７を介してエネルギ蓄積装置４の充電状態を表す信号が伝送される。それに加えパワートレーン管理装置１２には、象徴的に１つのブロックに統合されたセンサ１８からの別の信号、また同様に分散された制御装置２、５及び８または例えばＧＰＳを介した外部の信号源からのデータ、またはナビゲーションシステムからのデータも供給され、これらの信号及びデータによって目下の動作状況を求めることができる。
【００１５】
供給された信号に依存してパワートレーン管理装置１２は、パワートレーンの中央動作パラメータの調整計算を行う。つまりパワートレーン管理装置１２においては例えば変速比及び駆動装置の目標トルクが設定されるが、しかしながら駆動方法及び動作点も設定される。これらの情報は分散された制御部または制御装置２、５及び８に制御信号として供給される。制御部または制御装置２、５及び８はこれらの制御信号に依存して、パワートレーンの個々のユニットまたは構成部分のための調整信号を形成する。パワートレーン管理装置はこの図においては独立した制御ユニットとして図示されているが、しかしながら分散された制御部または制御装置２、５または８のうちの１つまたは複数に統合することもできる。同様に分散された制御装置２、５及び８も独立した制御ユニットとして図示されている。しかしながらこれらのユニットも任意のやり方で組み合わせて、１つまたは複数のマルチ機能制御部に組み込むことができる。
【００１６】
内燃機関１に駆動トルクも制動トルクも、例えば制動補助機能のために要求することができる。さらには、内燃機関に快適性や安全性に使用される副ユニット、例えば空調装置を駆動させるためのトルクも要求することができる。しかしながらここで自動車の動作時において、内燃機関が運転する際に駆動トルクまたは制動トルクも、副ユニットのためのトルクも内燃機関に要求されないという状況も発生する。しかしながらこのような状況を識別することは本発明の対象ではなく、また決定的には自動車のパワートレーン及び所属の制御ユニットの構造に関するものではない。ここではパワートレーンが開放される可能性のある状況を幾つか例示する。
【００１７】
１．車両コンポーネントのいずれにもトルクが要求されない。ドライバはアクセルペダルもブレーキペダルも操作しない。このような行動はしばしば「消極的ドライバ」と称される。既存の副ユニットはいずれもアクティブではない。
【００１８】
２．要求されるトルクが自動車内の別のトルク源から供給される。ドライバのブレーキペダルの操作によって要求された制動トルクが、しばしば常用ブレーキによってのみ実現される。制動補助機能、例えば制動帰還回路が起動される場合には、内燃機関に特に制動トルクが要求される。スタータユニットとしての電気モータが設けられている場合には、例えば副ユニットのためのトルク要求を電気モータによっても実現することができる。電気モータが付加的に駆動装置として設計されている場合には（ハイブリッド駆動装置）、アクセルペダルの操作によって要求される駆動トルクも、場合によっては電気モータによって供給することができる。近代的な自動車においては制御コンポーネントが設けられており、この制御コンポーネントは車両の駆動計画を設定する。この際車両内に設けられているトルク源へのトルク要求も分配される。
【００１９】
３．オートマチックトランスミッション及び自動化されたマニュアルトランスミッションが頻繁にいわゆる「停止機能」を使用する。これは回転数をカウントする際に、アイドリング回転数に近い回転数勾配を評価し、この評価に依存してクラッチを開放する。ここで回転数勾配が所定の閾値を上回っている場合には、可能な限り迅速にクラッチを開放させる、いわゆる「エンジンストール機能」が起動される。
【００２０】
車両の構造に応じてはパワートレーンが開放される更なる状況が考えられる。このような状況の識別及びパワートレーンの開放の方式（湿式または乾式クラッチによるか否か、またはコンバータロックアップクラッチによるか否か）は、本発明にとって重要ではない。重要なことは、待機時間中に引き続きトルクが内燃機関に要求されない場合に、内燃機関はパワートレーンの開放後に設定された待機時間が経過すると遮断されるということだけである。
【００２１】
本発明によればパワートレーン管理装置１２は、状況識別回路（省略して状況識別部）２０及びファジーロジック２１を有する。状況識別部２０では、種々のセンサ、他の制御装置または外部の情報源から供給される複数の入力信号が処理される。入力信号は状況識別部２０において、ファジーロジック２１によって処理することができる特徴付けられた特性量に変換される。
【００２２】
状況識別部２０への入力信号は、例えば以下の情報を包含することができる。
−ドライバが操作できる自動車の始動装置（点火キー、指紋センサ、キーレスゴーシステム）に関する情報
−車両ドアの位置に関する情報（例えばドアコンタクトを評価する）
−シフト用のセレクタレバーの目下の位置または変速比に関する情報
−パーキングブレーキの状態に関する情報
−（例えばナビゲーションシステムまたは情報チャネルからの）地形、道路状態及び環境条件に関する情報
−例えば交通信号及び駐車場からの情報信号のような、車道に近い情報源からの情報
−走行した道及び車両速度に関する情報
−自動車の操縦装置に関する状態情報
【００２３】
さらには状況識別部２０に、ドライバタイプ及び／又は負荷（道路の勾配及び／又は積荷）を表す信号を供給することができる。このようなドライバタイプの識別及び負荷の識別に関する可能な実現手段はＥＰ  ０  ５７６  ７０３  Ｂ１に詳細に記述されている。
【００２４】
自動車内の装備品、すなわち使用可能なコンポーネント及びシステムに依存して、状況識別部２０には一般的に、自動車の目下の動作状況を表すことに適している全ての信号を供給することができる。
【００２５】
既述の入力信号及び場合によっては別の入力信号は状況識別部２０において評価され、自動車の目下の動作状況を表す特徴付けられた量に変換され、ファジーロジック２１はこの特徴付けられた量を処理することができる。
【００２６】
状況識別部２０の出力量は、例えば以下の動作状況を表すことができる。
−アウトバーンの走行
−幹線道路の走行
−市内の走行
−駐車過程
−停止過程（交通信号、ストップ・アンド・ゴー交通、渋滞、交差点または工事現場における）
−緊急走行プログラムがアクティブ
−工場モードがアクティブ
−夜間走行
−視界不良
−環境の及ぼす影響、例えば気温
−付加的な負荷、例えば空調装置がアクティブ
−車両バッテリの充電状態
【００２７】
これらの動作状況及び場合によっては走行状況を特徴付ける別の量に依存して、ファジーロジック２１によって待機時間が設定される。この待機時間が経過するまでに引き続き内燃機関１への駆動トルク要求も制動トルク要求も存在しない場合には、待機時間の経過後に内燃機関１は遮断される。この待機時間を設定する際にファジーロジック２１によって、さらに直接的に目下の負荷及びドライバタイプに関する情報を処理することができる。
【００２８】
以下ではファジーロジック２１のための可能なファジー規則を説明する。このファジー規則は、種々の待機時間を識別された動作状況（ファジー規則においては簡単に状況と称する）に割り当てることができる。待機時間（零、非常に短い、短い、長い、非常に長い）に関するファジーパラメータの、実際の時間間隔への考えられる割り当ては図３から見て取れる。
規則１：条件（状況＝停止）
であれば、待機時間＝零
規則２：条件（状況＝幹線道路）
であれば、待機時間＝短い
規則３：条件（状況＝アウトバーン）
であれば、待機時間＝非常に短い
規則４：条件（状況＝市内走行）
であれば、待機時間＝長い
規則５：条件（状況＝駐車モード）
であれば、待機時間＝長い
規則６：条件（状況＝緊急走行プログラム）
であれば、待機時間＝非常に長い
規則７：条件（状況＝工場モード）
であれば、待機時間＝非常に長い
【００２９】
これらの待機時間を付加的に、識別されたドライバタイプ及び／又は識別された負荷でもって、または視界状況でもっても妥当化することができる。ここで可能なファジー規則は以下の内容である。
規則８：条件（負荷＝勾配）
であれば、待機時間＝非常に長い
または
規則９：条件（ドライバタイプ＝スポーティ）
であれば、待機時間＝非常に長い
【００３０】
文章で表すと、これらの規則は以下のことを意味する。
【００３１】
規則１：自動車の停止が識別された場合には、内燃機関は可能な限り即座に遮断されることが望ましい。自動車の停止を例えば交通信号が赤の時にこの交通信号から送出される信号によっても、または情報チャネルを介する渋滞情報を用いても識別することができる。
【００３２】
規則２：アウトバーンにおいてドライバに駆動トルクも制動トルクも要求されない場合には、このことは渋滞状況において停滞している交通に向かって減速している他の車両に接近していることを意味している。内燃機関はこの場合、非常に短時間の後に既に遮断されることが望ましい。
【００３３】
規則３：幹線道路においてドライバに駆動トルクも制動トルクも要求されない場合には、このことはアウトバーン走行と同様に、渋滞状況において停滞している交通に向かって減速している他の車両に接近していることを意味している。このような場合内燃機関は同様に短時間の後に既に遮断されることが望ましい。しかしながら幹線道路の状態を計算するために、待機時間はアウトバーン走行に比べると長くされる。
【００３４】
規則４：市内では加速段階とブレーキ段階が頻繁に入れ代わる。しかしながら頻繁に、ドライバによって車両を徐々に減速することも所望され、したがって駆動トルクも制動トルクも要求されない。このような市内走行の際に内燃機関の頻繁な遮断及び再始動を回避するために、ここでは待機時間を長くすることが望ましい。
【００３５】
規則５：駐車過程は頻繁に車庫入れ過程と結び付いている。この際必然的に、ドライバが駆動トルクもブレーキトルクも要求しない状況が生じる。これらの場合において内燃機関の不所望な遮断を回避するために、駐車状況を識別する際には長い待機時間が設定される。
【００３６】
規則６：緊急走行プログラムは、自動車においてシステムコンポーネントの誤動作が識別された場合には常に起動される。例えば動作の安全性に関して危険を予防するために、待機時間はこれらの場合には非常に大きな値に設定される。この値は特殊事例においては無限大にセットすることができるので、パワートレーン管理装置による内燃機関の自動的な遮断はもはや行われない。
【００３７】
規則７：自動車の修理作業または整備作業のために、内燃機関をアイドリング走行において運転させることは部分的に必要である。このような状況において内燃機関の不所望な遮断を回避するために工場モードが設けられており、待機時間は非常に長い期間、ないし無限大に設定される。
【００３８】
規則８：勾配においてドライバによって駆動トルクもブレーキトルクも要求されない場合には、このことは転回操作を行っている可能性があると解される。内燃機関が不所望に遮断されること無く、ドライバがこの転回操作を実現するために、非常に長い待機時間が設定される。
【００３９】
規則９：スポーティなドライバは自動車の走行性能に非常に重要視する。内燃機関を規則的に遮断することはスポーティな走行特性には適しておらず、そのようなドライバには不快に感じられるであろう。この理由からスポーティな走行特性が識別された場合には、待機時間は非常に高い値に設定される。
【００４０】
これらの規則の他にも、自動車内のそれぞれのパワートレーン及び所属の制御ユニットの構造に依存して別の制御が可能であり、それどころかこの制御は必要である。例えば内燃機関を始動させるためのスタータユニットとしての電気モータが設けられている場合、内燃機関が遮断される前にその都度、内燃機関を新たに始動させるために車両バッテリの目下の充電状態が十分であることを確認しなければならない。このことを車両バッテリの目下の充電状態において保証することができない場合には、待機時間は必ず無限大の値にセットされなければならず、したがって内燃機関の遮断が阻止される。
【００４１】
待機時間をドライバの要求に適応させることも考えられる。例えばドライバが内燃機関を任意の状況の間に点火キーまたは相応の装置を介して停止する場合には、学習システムがドライバのこの要求を引き継ぐことが望ましい。この状況が新たに生じた場合には、システムが内燃機関を独立して遮断できることが望ましい。
【図面の簡単な説明】
【図１】
２つの駆動装置を有する自動車のパワートレーンの概略図である。
【図２】
待機時間を求める制御コンポーネントのブロック図である。
【図３】
ファジーシステムによって出力が変化する待機時間の概略的な経過である。
【図１】
2004518073.tif 000003
【図２】
2004518073.tif 000004
【図３】
2004518073.tif 000005
【国際公開パンフレット】
2004518073.tif 000006
2004518073.tif 000007
2004518073.tif 000008
2004518073.tif 000009
2004518073.tif 000010
2004518073.tif 000011
2004518073.tif 000012
2004518073.tif 000013
2004518073.tif 000014
2004518073.tif 000015
2004518073.tif 000016
2004518073.tif 000017
2004518073.tif 000018
2004518073.tif 000019
2004518073.tif 000020
2004518073.tif 000021
2004518073.tif 000022
2004518073.tif 000023
2004518073.tif 000024
【国際調査報告】
2004518073.tif 000025
2004518073.tif 000026
2004518073.tif 000027
2004518073.tif 000028